(57)【要約】      （修正有）【課題】沈殿池等の開水路における風の影響による偏流を防止する方法を提供する。【解決手段】開水路の水面および／または水面近傍の水中にネットを展張し、主に風の作用による偏流を防止する。水面を風が吹き抜ける際の流動性を防止することにより、開水路内の水面と水底の温度差を少なくし、開水路内の対流現象を抑制する。さらには、風の抵抗等による偏流を防止する。展張するネットの編み目形状は、三角形、四角形等の多角形を単独または組み合わせて用いることができるが、六角形のものが特に好適である。【選択図】図３
2014202033.tif 000002
【特許請求の範囲】
【請求項１】
開水路の水面および／または水面近傍の水中にネットを展張することを特徴とする、開水路の偏流防止方法。
【発明の詳細な説明】
【技術分野】
【０００１】
本発明は、沈砂池、横流式普通沈殿池、横流式薬品沈殿池、放射流式普通沈殿池、放射流式薬品沈殿池、高速凝集沈殿池、濃縮槽、ダム等の開水路において、原水中の懸濁粒子または懸濁粒子を凝集フロック化して生成した固形粒子を重力によって効率的に固液分離させるための開水路の偏流防止方法に関する。
【背景技術】
【０００２】
沈殿池内の水流は、水流自体の乱れや外部からの影響で、理想的な状態とはほど遠い乱れた水流状況を呈している。水理学的に云えば、水流自体の乱れはレイノルズ数（Ｒｅ）によって決定される。開水路の場合、
Ｒｅ≦５００・・・・・層流域
Ｒｅ≧２５００・・・・乱流域
であるが、実際の沈殿池ではＲｅ＝１０４程度の乱流域になる。流況を層流に近づけるために、流速を小さくすると、外部からの影響によって水流の安定性が悪くなる傾向がある。この水流の安定性は、フルード数（Ｆｒ）によって決定される。Ｆｒ≧１０−５程度にすると流況は非常に改善されると云われているが、実際の沈殿池等ではＦｒ＝１０−６程度となる。沈殿池内の流速を大きくするとフルード数が大きくなり、水流の安定性は増大するが、一方では表面負荷率が大きくなり、除去率が低下し、沈殿池底に一度沈殿したスラッジが再び巻き上がる現象も生起してくるので、流速の増加にもおのずと限界がある。
【０００３】
水流の安定条件からだけ考えた理想的な沈殿池の形状は、Ｒｅ＝５００、Ｆｒ＝１０−５として試算できるが、Ｆｉｓｈｅｒｓｔｒｏｍ（フィッシャ・ストルム）によれば、そのような沈殿池の幅と水深との比は、１：７００と極端に細長くなる。
【０００４】
水流の乱れは、水流自体によるものの他に、外部からの影響によるものも大きい。その主なものは、沈殿池内水と流入水との間に生じる水温差や濁度差による密度流、風の作用や流入・流出の不均一さによる偏流等がある。水温差１℃によって生じる短絡流の流速は、沈殿池内の平均流速の１０倍にも達する程である。
【０００５】
これらの外部からの影響による水流の乱れは、実質的に表面負荷率を増大させ、沈殿池内の通過時間を減少させるので除去率に大きな影響を持つようになる。この偏流による除去率の減少を防ぐためには、（１）沈殿池内への流入を出来るだけ均一に行うために、流入部に整流壁を設ける（２）沈殿池内からの流出を均一に行うために、流出部にも整流壁を設け、沈殿水を均等に引き出せるように配慮する（３）沈殿池の水面に覆蓋を設けて外部からの影響を断ち、水流の安定を図る、といった方法がある。（非特許文献１）
【先行技術文献】
【非特許文献】
【０００６】
【非特許文献１】水道施設設計指針２０００（発行所社団法人日本水道協会、平成１２年３月３１日発行）第２０２〜２０３頁
【発明の概要】
【発明が解決しようとする課題】
【０００７】
そこで本発明者は、特に開水路における外部要因である風による偏流の防止方法について種々研究を重ねた結果本発明を完成するに至った。
【課題を解決するための手段】
【０００８】
すなわち、本発明は、開水路の水面および／または水面近傍の水中にネットを展張することを特徴とする開水路の偏流防止方法である。
【発明の効果】
【０００９】
本発明のように開水路の水面および／または水面近傍の水中にネットを展張することによって、水面を風が吹き抜ける風の流動性を防止することによって水面における水温の低下あるいは上昇を防止し、開水路内の水面の温度と水底の水温との温度差を少なくして、開水路内の対流現象を抑制すると共に、風の抵抗等による偏流を防止することができる。従って従来のように水面に覆蓋を設ける必要がないので設置が簡単な上に設備費も大幅に削減することができる。
【図面の簡単な説明】
【００１０】
【図１】浮子の斜視図
【図２】ヒレを設けたネットの斜視図
【図３】開水路に六角形のネットを展張した平面図
【図４】開水路に六角形のネットを展張した平面図
【発明を実施するための形態】
【００１１】
本発明は、開水路の水面および／または水面近傍の水中にネットを展張するものである。ネットの展張は開水路の水面部全体に展張することもできるが、特に効率的に行うためには開水路の沈殿部に展張することが好ましい。
【００１２】
本発明に使用するネットの網目形状は、三角形、四角形、五角形、六角形等の多角形を単独または組合せによって構成することができる。
特に六角形の場合は、ネットの網目の交差部が３方向に分かれており、風の力を均等に分散・吸収しやすい構造である。また網目形状が六角形の場合は、水面を風が吹き抜ける風のエネルギーを六角形の小部屋が吸収・分散させて、さらに六角形の小部屋が他の６個の小部屋と互いに壁であるロープとを互いに共有して配列をなしている構造から、より大きなエネルギーを吸収することが出来る。この配列が水面を風が吹き抜ける風の流動性を防止することが出来る。
またネットの素材も比重が１よりも小さいものであれば、ネットを展張した場合ネット自体が水面に浮いた状態で展張することができる。また素材の比重が１より大きいものである場合は、水面に展張する場合例えば図１に示すような切れ目１の入った発泡スチロール製のチューブ状の浮子２をネットに嵌合させるように装着することによって水面上に展張することができる。この場合ネット全てに必ずしも装着する必要はなく、網目の形状、大きさによって適宜選択すればよい。ネットはロープで構成したもの以外に例えば発泡スチロール製のシートに所望の形状を打ち抜いたものも使用することができる。
【００１３】
水面にネットを展張する場合、ネットの一部（上部）が突出していることによって風の吹き抜けを防止することができるようになるので好ましい。
また使用するネットの他の態様としては、図２に示すようにネットのロープ３にヒレ４を設けることも出来る。このようにヒレ４を設けることによって水面を風が吹き抜けることによる水流の乱れを防止することができる。                        
さらに本発明のネットを水面近傍に展張する場合は、上下に間隔（例えば５〜２０ｃｍ）を設けて多重に展張することが出来る。
尚、使用するネットが六角形の場合の態様としては、図３および図４に示すように開水路５にネット６の方向を変えて展張することもできる。
【００１４】
また本発明の開水路とは、貯留池、沈砂池、横流式普通沈殿池、横流式薬品沈殿池、放射流式普通沈殿池、放射流式薬品沈殿池、高速凝集沈殿池、濃縮槽、ダム湖、湖沼、開放された側溝を指称するものである。
【００１５】
実施例
横流式普通沈殿池（幅１２ｍ、長さ４４．５ｍ）に六角形状のネット（網目の大きさ  ６２５ｍｍ２）を水面に展張し、風の強い日（風速１０ｍ、気温３３．２℃）に沈殿部の水面の水温を測定した。その結果水面部の水温は２５．８℃であった。
一方同一条件でネットを展張しない場合の沈殿部の水面の水温は２６．９℃であった。
【符号の説明】
【００１６】
１・・・切れ目
２・・・浮子
４・・・ヒレ
【図１】
2014202033.tif 000003
【図２】
2014202033.tif 000004
【図３】
2014202033.tif 000005
【図４】
2014202033.tif 000006